(57)【特許請求の範囲】
【請求項１】
四角形の底板（１１）と、該底板（１１）の両側にそれぞれ折り目を介して一体に形成された対向する一対の側板（１２，１３）と、前記底板（１１）と天板（１４）との間の側板（１２）にその両側縁に折り目を介して一体に形成された外側板（１５，１６）と、それぞれの外側板（１５，１６）の両側にそれぞれ折り目を介して一体に形成された内側板（１７）および副底板（１８）と、前記底板（１１）の他方の側の側板（１３）にその両側縁に折り目を介して一体に形成された中板（１９）とを備え、
前記一対の側板（１２，１３）を底板（１１）から立ち上げるとともに、前記副底板（１８）を底板（１１）上に折込み、また前記中板（１９）を外側板（１５，１６）と内側板（１７）との間に挟み込むようにしてそれぞれ内向きに折込んで各側板（１２，１３，１５，１６，１７）および中板（１９）を組み付けることにより組み立てられる組立式箱であって、
前記底板（１１）には一対の側板（１２，１３）に平行に、また前記中板（１９）にはその折り目に平行にさらに折り目が形成されており、
前記中板（１９）を折り目で折りたたんだ上、前記底板（１１）の他方の側の側板（１３）を前記底板（１１）の折り目で内向きに折りたたみ、
また前記外側板（１５，１６）を外向きに折りたたんだ上、内側板（１７）を折りたたむようにしたことを特徴とする折りたたみ可能な組立式箱。
【請求項２】
四角形の底板（１１）と、該底板（１１）の両側にそれぞれ折り目を介して一体に形成された対向する一対の側板（１２，１３）と、前記一方の側板（１２）の端部に折り目を介して一体に形成された四角形の天板（１４）と、前記底板（１１）と天板（１４）との間の側板（１２）にその両側縁に折り目を介して一体に形成された外側板（１５，１６）と、それぞれの外側板（１５，１６）の両側にそれぞれ折り目を介して一体に形成された内側板（１７）および副底板（１８）と、前記底板（１１）の他方の側の側板（１３）にその両側縁に折り目を介して一体に形成された中板（１９）とを備え、
前記一対の側板（１２，１３）を底板（１１）から立ち上げるとともに、前記副底板（１８）を底板（１１）上に折込み、また前記中板（１９）を外側板（１５，１６）と内側板（１７）との間に挟み込むようにしてそれぞれ内向きに折込んで各側板（１２，１３，１５，１６，１７）および中板（１９）を組み付け、その上で前記天板（１４）を各側板（１２，１３，１５，１６，１７）上に折込むことにより組み立てられる組立式箱であって、
前記底板（１１）には一対の側板（１２，１３）に平行に、また前記中板（１９）にはその折り目に平行にさらに折り目が形成されており、
前記中板（１９）を折り目で折りたたんだ上、前記底板（１１）の他方の側の側板（１３）を前記底板（１１）の折り目で内向きに折りたたみ、前記天板（１４）を前記側板（１３）上に折りたたみ、
また前記外側板（１５，１６）を外向きに折りたたんだ上、内側板（１７）を折りたたむようにしたことを特徴とする折りたたみ可能な組立式箱。
【請求項３】
前記中板（１９）内の折り目は、易折りたたみ手段により折りたたみ易くしてあることを特徴とする請求項１または２に記載の折りたたみ可能な組立式箱。
【請求項４】
前記側板（１２）の折り目は、易折りたたみ手段により外向きに折りたたみ易くしてあることを特徴とする請求項１または２に記載の折りたたみ可能な組立式箱。
【請求項５】
前記易折りたたみ手段は、破線状の不連続な切込み、もしくは直線状の連続する切込み、型押しから選ばれたことを特徴とする請求項３または４に記載の折りたたみ可能な組立式箱。
【請求項６】
前記副底板（１８）の折り目は、所定長の長孔（１８ａ）が設けてあり、前記内側板（１７）の端部に突設した係合突起（１７ａ）を係合して係止することができるようにしてあることを特徴とする請求項１または２に記載の折りたたみ可能な組立式箱。
【請求項７】
前記天板（１４）は、両側に折り目を介して一対の側片（２１，２２）と、端部に折り目を介して二つ折り可能な側片（２３）を備え、
前記一対の側片（２１，２２）から延長した折込み片（２４）を内向きに折込んだ上、折込み片（２４）の内側に設けた係合孔（２５）に、二つ折り可能な側片（２３）の端縁に突設した係合突起（２６）を係止して組み付けることにより、側片付きの天板（１４）とすることを可能としたことを特徴とする請求項２に記載の折りたたみ可能な組立式箱。
【発明の詳細な説明】
【技術分野】
【０００１】
本発明は、ほぼ複層構造を有する組立式箱に関し、なおかつ平たく折りたたむことができるようにした折りたたみ可能な組立式箱を提供することを目的とするものである。
【背景技術】
【０００２】
従来、衣服や靴類、その他の種々の製品を梱包するのに使用される組立式箱は、組立時に接着剤やホチキス等により四辺に配置された箱の側壁部分が堅固に接着されるので、一度組み立てられたら展開することが困難で、組立工場からユーザーの元へ運搬する際や、倉庫で保管する際などに嵩張ってしまって搬送効率が悪いという問題があった。
【０００３】
そこで、特開２００２−２０５７３４号公報（特許文献１参照）に示すように、四角形の底板と、前左右の本体部外側板と、本体部連結板と、前の本体部内側板とを有する箱本体部を備え、四角形の天板と、前左右の蓋部外側板と、蓋部連結板と、前の蓋部内側板とを有する蓋部を備え、箱本体部と蓋部が背面部外側板２４４を介して一体に形成され、背面部連結板を備える組立式箱であって、組立工程のロスが少なく、組立が容易な蓋部を有するものが提案されている。
【先行技術文献】
【特許文献】
【０００４】
【特許文献１】特開２００２−２０５７３４号公報
【発明の開示】
【発明が解決しようとする課題】
【０００５】
しかし、底板に折り目を介して一体に形成した側板を三重構造とした本発明の組立式箱の場合には、上述のような従来技術を適用しても構造が複雑になってしまうので、従来技術を直ちに適用することは難しく、上述したように組立後に平板状に折り畳むことができずに、運搬時や保管時に嵩張ってしまうという問題があった。
【０００６】
本発明は、このような従来の技術の状況に鑑みて、組立工程のロスが少なく、組立が容易な側板を三重構造とし、底板を二重構造とした折りたたみ可能な組立式箱の提供を目的とする。
【課題を解決するための手段】
【０００７】
上記従来の問題を解決するため本発明の折りたたみ可能な組立式箱は、四角形の底板（１１）と、該底板（１１）の両側にそれぞれ折り目を介して一体に形成された対向する一対の側板（１２，１３）と、前記底板（１１）と天板（１４）との間の側板（１２）にその両側縁に折り目を介して一体に形成された外側板（１５，１６）と、それぞれの外側板（１５，１６）の両側にそれぞれ折り目を介して一体に形成された内側板（１７）および副底板（１８）と、前記底板（１１）の他方の側の側板（１３）にその両側縁に折り目を介して一体に形成された中板（１９）とを備え、
前記一対の側板（１２，１３）を底板（１１）から立ち上げるとともに、前記副底板（１８）を底板（１１）上に折込み、また前記中板（１９）を外側板（１５，１６）と内側板（１７）との間に挟み込むようにしてそれぞれ内向きに折込んで各側板（１２，１３，１５，１６，１７）および中板（１９）を組み付けることにより組み立てられる組立式箱であって、
前記底板（１１）には一対の側板（１２，１３）に平行に、また前記中板（１９）にはその折り目に平行にさらに折り目が形成されており、
前記中板（１９）を折り目で折りたたんだ上、前記底板（１１）の他方の側の側板（１３）を前記底板（１１）の折り目で内向きに折りたたみ、
また前記外側板（１５，１６）を外向きに折りたたんだ上、内側板（１７）を折りたたむようにしたことを特徴とするものである。
【０００８】
本発明の折りたたみ可能な組立式箱は、四角形の底板（１１）と、該底板（１１）の両側にそれぞれ折り目を介して一体に形成された対向する一対の側板（１２，１３）と、前記一方の側板（１２）の端部に折り目を介して一体に形成された四角形の天板（１４）と、前記底板（１１）と天板（１４）との間の側板（１２）にその両側縁に折り目を介して一体に形成された外側板（１５，１６）と、それぞれの外側板（１５，１６）の両側にそれぞれ折り目を介して一体に形成された内側板（１７）および副底板（１８）と、前記底板（１１）の他方の側の側板（１３）にその両側縁に折り目を介して一体に形成された中板（１９）とを備え、
前記一対の側板（１２，１３）を底板（１１）から立ち上げるとともに、前記副底板（１８）を底板（１１）上に折込み、また前記中板（１９）を外側板（１５，１６）と内側板（１７）との間に挟み込むようにしてそれぞれ内向きに折込んで各側板（１２，１３，１５，１６，１７）および中板（１９）を組み付け、その上で前記天板（１４）を各側板（１２，１３，１５，１６，１７）上に折込むことにより組み立てられる組立式箱であって、
前記底板（１１）には一対の側板（１２，１３）に平行に、また前記中板（１９）にはその折り目に平行にさらに折り目が形成されており、
前記中板（１９）を折り目で折りたたんだ上、前記底板（１１）の他方の側の側板（１３）を前記底板（１１）の折り目で内向きに折りたたみ、前記天板（１４）を前記側板（１３）上に折りたたみ、
また前記外側板（１５，１６）を外向きに折りたたんだ上、内側板（１７）を折りたたむようにしたことをも特徴とするものである。
【０００９】
本発明の折りたたみ可能な組立式箱は、前記中板（１９）内の折り目が、易折りたたみ手段により折りたたみ易くしてあることをも特徴とするものである。
【００１０】
本発明の折りたたみ可能な組立式箱は、前記側板（１２）の折り目が、易折りたたみ手段により外向きに折りたたみ易くしてあることをも特徴とするものである。
【００１１】
本発明の折りたたみ可能な組立式箱は、前記易折りたたみ手段が、破線状の不連続な切込み、もしくは直線状の連続する切込み、型押しから選ばれたことをも特徴とするものである。
【００１２】
本発明の折りたたみ可能な組立式箱は、前記副底板（１８）の折り目は、所定長の長孔（１８ａ）が設けてあり、前記内側板（１７）の端部に突設した係合突起（１７ａ）を係合して係止することができるようにしてあることをも特徴とするものである。
【００１３】
本発明の折りたたみ可能な組立式箱は、前記天板（１４）は、両側に折り目を介して一対の側片（２１，２２）と、端部に折り目を介して二つ折り可能な側片（２３）を備え、
前記一対の側片（２１，２２）から延長した折込み片（２４）を内向きに折込んだ上、折込み片（２４）の内側に設けた係合孔（２５）に、二つ折り可能な側片（２３）の端縁に突設した係合突起（２６）を係止して組み付けることにより、側片付きの天板（１４）とすることを可能としたことをも特徴とするものである。
【発明の効果】
【００１４】
上述のように、本発明に係る折りたたみ可能な組立式箱は、底板部分が二重構造であり、また該底板の左右にそれぞれ折り目を介して一体に形成された対向する一対の側板部分は三重構造を備えていて、搬送時に負荷がかかる部分が強固な構造となっており、また天板が側板の上部に開閉自在に係合する構造となっていて、衣服や靴類、その他の種々の製品を梱包するのに非常に便利なものとなっている。
【００１５】
また、箱本体部分と蓋部分とを一体に有する組立式箱を一つの部材から形成することができ、部品点数が削減でき、箱本体部分と蓋部分の接合工程が排除され組立工程が簡素化されるのでコストダウンが図れる。
しかも、単純な折曲加工のみにより箱を組み立てることができるので、マニュアルさえあれば誰でも簡単に組み立てることが可能である。
【００１６】
さらに、運搬や保管などをする際に、展開状態から簡単に平板状に折りたたむことができ、かつ折りたたんだ状態がコンパクトなので、搬送に便利なだけでなく、商品として店頭に並べる場合にも場所をとらないので大きなメリットを有している。
【００１７】
展開状態から平板状に折りたたむ場合の折り目も、ほとんど組立式箱の強度には影響のない部位に形成してあるので、組立状態で運搬や保管などをする際にも強度上および外観上の問題はなんら生じない。
【図面の簡単な説明】
【００１８】
【図１】本発明に係る折りたたみ可能な組立式箱の第１の実施形態を示す展開図である。
【図２】その斜視図である。
【図３】その組立工程を示し、一方の側板を立ち上げた状態の斜視図である。
【図４】前記側板に設けた外側板を内向きに折込み、さらに副底板を底板上に折込んだ状態を示す斜視図である。
【図５】他方の側板に設けた中板を立ち上げた状態を示す斜視図である。
【図６】他方の側板を立ち上げ、中板を前記外側板の内側に配置した状態を示す斜視図である。
【図７】前記側板に設けた内側板を前記中板を挟むように内向きに折込んだ状態を示す斜視図である。
【図８】（ａ）〜（ｅ）は天板の組立工程を示す斜視図である。
【図９】組み立てられた蓋部を備えた折りたたみ可能な組立式箱を示す斜視図である。
【図１０】折りたたみ可能な組立式箱の完成状態の斜視図である。
【図１１】本実施形態に係る折りたたみ可能な組立式箱の折りたたみ工程を示し、他方の側板の中板を折りたたんだ状態の斜視図である。
【図１２】他方の側板内の折り目で該側板を折りたたんだ状態の斜視図である。
【図１３】他方の側板上に天板を折りたたんだ状態を示す斜視図である。
【図１４】図１３の折りたたんだ状態のものを反転した状態を示す斜視図である。
【図１５】前記外側板の一方を外向きに折りたたんだ状態を示す斜視図である。
【図１６】該外側板に設けた内側板を内向きに折りたたんだ状態を示す斜視図である。
【図１７】前記外側板の他方を外向きに折りたたんだ状態を示す斜視図である。
【図１８】該外側板の内側板を内向きに折りたたんだ状態を示す斜視図である。
【図１９】図１８の折りたたんだ状態のものを反転した折りたたみ完成状態を示す斜視図である。
【図２０】本発明に係る折りたたみ可能な組立式箱の第２の実施形態を示す展開図である。
【図２１】その斜視図である。
【図２２】その組立工程を示し、両方の側板に設けた内補強板を立ち上げた状態の斜視図である。
【図２３】前記側板に設けた内補強板を内向きに折込んだ状態を示す斜視図である。
【図２４】一方の側板を立ち上げた状態の斜視図である。
【図２５】前記側板に設けた外側板を内向きに折込み、さらに副底板を底板上に折込んだ状態を示す斜視図である。
【図２６】他方の側板に設けた中板を立ち上げた状態を示す斜視図である。
【図２７】他方の側板を立ち上げ、中板を前記外側板の内側に配置した状態を示す斜視図である。
【図２８】前記側板に設けた一方の内側板を前記中板を挟むように内向きに折込んだ状態を示す斜視図である。
【図２９】前記側板に設けたもう一方の内側板を前記中板を挟むように内向きに折込んだ状態を示す斜視図である。
【図３０】折りたたみ可能な組立式箱の完成状態の斜視図である。
【図３１】本実施形態に係る折りたたみ可能な組立式箱の折りたたみ工程を示し、側板に設けた内補強板を折りたたんだ状態の斜視図である。
【図３２】他方の側板の中板内に設けた折り目で該中板を立ち上げた状態の斜視図である。
【図３３】該中板を折りたたんだ状態の斜視図である。
【図３４】前記底板に設けた折り目で他方の側板を折りたたんだ状態を示す斜視図である。
【図３５】図３４の折りたたんだ状態のものを反転した状態を示す斜視図である。
【図３６】前記外側板の一方を外向きに折りたたんだ状態を示す斜視図である。
【図３７】該外側板の内側板を内向きに折りたたんだ状態を示す斜視図である。
【図３８】前記外側板の他方を外向きに折りたたんだ状態を示す斜視図である。
【図３９】該外側板の内側板を内向きに折りたたんだ状態を示す斜視図である。
【図４０】図３９の折りたたんだ状態のものを反転した折りたたみ完成状態を示す斜視図である。
【図４１】本発明の折りたたみ可能な組立式箱の第２の実施形態の変形した例を示す斜視図である。
【発明を実施するための形態】
【００１９】
次に、本発明に係る折りたたみ可能な組立式箱の蓋付きの場合の第１の実施形態を図１〜図１９について説明する。それぞれ図１〜図１０は組立工程を、図１１〜図１９は折りたたみ工程を示すものである。
【実施例１】
【００２０】
図１および図２において、本発明に係る折りたたみ可能な組立式箱は、四角形の底板１１と、該底板１１の両側にそれぞれ折り目１１ａ，１１ｂを介して一体に形成された対向する一対の側板１２，１３と、前記一方の側板１２の端部に折り目１２ａを介して一体に形成された四角形の天板１４と、前記底板１１と天板１４との間の側板１２にその両側縁に折り目１２ｂ，１２ｃを介して一体に形成された外側板１５，１６と、それぞれの外側板１５，１６の両側にそれぞれ折り目１５ａ，１５ｂ，１６ａ，１６ｂを介して一体に形成された内側板１７および副底板１８と、前記底板１１の他方の側の側板１３にその両側縁に折り目１３ａ，１３ｂを介して一体に形成された中板１９とを備えている。
本発明の折りたたみ可能な組立式箱は、前記副底板１８の折り目１５ｂ，１６ｂの中央に所定長の長孔１８ａが設けてあり、前記内側板１７の端部に突設した係合突起１７ａを係合して係止することができるようにしたものである。
【００２１】
また本発明の折りたたみ可能な組立式箱は、前記天板１４が両側に折り目１４ａ，１４ｂを介して一対の側片２１，２２と、端部に折り目１４ｃを介して二つ折り可能な側片２３を備えており、前記一対の側片２１，２２には折込み片２４が延設され、該折込み片２４の内側には係合孔２５が設けてある。
また、折り目２３ａを介して二つ折り可能な側片２３の端縁には係合突起２６が突設してある。
【００２２】
次に、前記組立式箱の組立工程について説明する。
組立に際しては図３に示すように、先ず前記一方の側板１２を折り目１１ａを介して底板１１から立ち上げる。その際、折り目１５ｂ、１６ｂで折込まれた副底板１８は底板１１と同じ平面上に位置している。
そして図４に示すように、外側板１５，１６を折り目１２ｂ、１２ｃを介して内向きに折りたたんだ上、前記副底板１８を底板１１上に折り重ねる。
一方、図５に示すように、前記他方の側板１３に設けた前記中板１９を折り目１３ａ、１３ｂで折込んで立ち上げる。
その上で、図６に示すように、前記他方の側板１３を折り目１１ｂで折込んで立ち上げ、かつ前記外側板１５，１６の内側に沿って該中板１９を配置する。
その後、図７に示すように、前記中板１９の内側に向かって内側板１７を折り目１５ａ、１６ａで折込み、前記中板１９を外側板１５，１６と内側板１７との間に挟み込むようにして各側板１２，１３、外側板１５，１６，内側板１７および中板１９を組み付ける。
その際、前記折り目１５ｂ、１６ｂ部分の長孔１８ａに、前記内側板１７の端部に突設した係合突起１７ａを係合して係止する。
【００２３】
また図８（ａ）に示す前記天板１４は、図８（ｂ）のように前記一対の側片２１，２２から延長した折込み片２４の内側に設けた係合孔２５部分を立ち上げ、図８（ｃ）のように前記一対の側片２１，２２を立ち上げた上、前記折込み片２４を内向きに折込み、図８（ｄ）のように前記二つ折り可能な側片２３を折り目１４ｃで折込んで立ち上げ、最後に図８（ｅ）のように前記二つ折り可能な側片２３を折り目２３ａで二つ折りした上、折込み片２４の内側に設けた係合孔２５に、二つ折り可能な側片２３の端縁に突設した係合突起２６を係止して組み付けることにより、側片付きの天板１４からなる蓋部分として組み付けられる。
図９は組み立てられた蓋部を備えた折りたたみ可能な組立式箱を示し、図１０は折りたたみ可能な組立式箱の完成状態を示すものである。
なお、前記各図においてそれぞれ３１は外側板１５，１６に設けた取手孔、３２は内側板１７に設けた取手孔、３３は中板１９に設けた取手孔である。図１０に示す組立状態においては互いに同じ位置にくるよう配置されている。いずれの取手孔３１，３２，３３も打抜加工によって簡単にくり抜けるようになっている。
ちなみに、組立状態において外側板１５，１６に設けた取手孔３１と中板１９に設けた取手孔３３とをくり抜くとともに、内側板１７に設けた取手孔３２をくり抜かずに残して、取手孔３１，３３に指を掛けることにより組立式箱を持ち運ぶことができる。
もちろん、すべての取手孔３１，３２，３３をくり抜いた状態で使用することもできる。
【００２４】
次に、前記組立式箱の折りたたみ工程について説明する。
図１および図２に示すように、前記底板１１には一対の側板１２，１３に平行の折り目１１ｃが、また前記中板１９にはその折り目１３ａ、１３ｂに平行にさらに折り目１３ｃが形成されている。
そして、前記中板１９内の折り目１３ｃは、その外側に切込みからなる易折りたたみ手段を形成して折りたたみ易くしてあり、また前記側板１２の折り目１２ｂ、１２ｃは、さらに切込みからなる易折りたたみ手段を形成して外向きに折りたたみ易くしてある。
なお、前記易折りたたみ手段は、破線状の不連続な切込み、もしくは直線状の連続する切込み、型押し等とすることができ、折りたたみやすさや強度の面から適宜決定することができる。もちろん、前記切込みや型押し以外の易折りたたみ手段を排除するものではない。
【００２５】
折りたたみに際しては、図１１に示すように先ず前記中板１９を折り目１３ｃで折りたたみ、その上で図１２に示すように、前記底板１１の他方の側の側板１３を前記底板１１の折り目１１ｃで内向きに折りたたむ。
その後、図１３に示すように前記他方の側の側板１３の上に折り目１２ａで天板１４を折りたたみ、図１４に示すようにその状態で全体を反転させる。
次いで、図１５に示すように前記外側板１５を折り目１２ｂで外向きに折りたたんだ上、図１６に示すように内側板１７を折り目１５ａで折りたたむ。
また、図１７に示すように前記他方の外側板１６を折り目１２ｃで外向きに折りたたんだ上、図１８に示すように内側板１７を折り目１６ａで折りたたむと、前記組立式箱の折りたたみ工程は終了する。
図１９は図１８の折りたたんだ状態のものを反転した状態を示すものである。
【００２６】
次に、本発明に係る折りたたみ可能な組立式箱の蓋なしの場合の第２の実施形態を図２０〜図４０について説明する。それぞれ図２０〜図３０は組立工程を、図３１〜図４０は折りたたみ工程を示すものである。
【実施例２】
【００２７】
図２０および図２１において、本発明に係る折りたたみ可能な組立式箱は、四角形の底板４１と、該底板４１の両側にそれぞれ折り目４１ａ，４１ｂを介して一体に形成された対向する一対の側板４２，４３と、前記一方の側板４２の端部に折り目４２ａを介して一体に形成された内補強板４４と、前記底板４１と内補強板４４との間の側板４２にその両側縁に折り目４２ｂ，４２ｃを介して一体に形成された外側板４５，４６と、それぞれの外側板４５，４６の両側にそれぞれ折り目４５ａ，４５ｂ，４６ａ，４６ｂを介して一体に形成された内側板４７および副底板４８と、前記底板４１の他方の側の側板４３にその両側縁に折り目４３ａ，４３ｂを介して一体に形成された中板４９とを備えている。５０は前記側板４３の内側に折込む内補強板、５０ａはその折り目である。
本発明の折りたたみ可能な組立式箱は、前記副底板４８の折り目４５ｂ，４６ｂの中央に所定長の長孔４８ａが設けてあり、前記内側板４７の端部に突設した係合突起４７ａを係合して係止することができるようにしたものである。
【００２８】
次に、前記組立式箱の組立工程について説明する。
組立に際しては、図２２に示すように先ず内補強板４４，５０を立ち上げ、図２３のように側板４２，４３上に折込む。次いで、図２４のように前記一方の側板４２を折り目４１ａを介して底板４１から立ち上げる。その際、折り目４５ｂ、４６ｂで折込まれた副底板４８は、底板４１と同じ平面上に位置している。
そして図２５に示すように、外側板４５，４６を折り目４２ｂ、４２ｃを介して内向きに折りたたんだ上、前記副底板４８を底板４１上に折り重ねる。
一方、図２６に示すように、前記他方の側板４３に設けた前記中板４９を折り目４３ａ、４３ｂで折込んで立ち上げる。
その上で、図２７に示すように、前記他方の側板４３を折り目４１ｂで折込んで立ち上げ、かつ前記外側板４５，４６の内側に沿って該中板４９を配置する。
その後、図２８に示すように、前記中板４９の内側に向かって内側板４７を折り目４５ａ、４６ａで折込み、前記中板４９を外側板４５，４６と内側板４７との間に挟み込むようにして各側板４２，４３、外側板４５，４６，内側板４７および中板４９を組み付ける。
その際、前記折り目４５ｂ、４６ｂ部分の長孔４８ａに、前記内側板４７の端部に突設した係合突起４７ａを係合して係止する。
【００２９】
図２９は組み立てられた折りたたみ可能な組立式箱を示し、図３０は折りたたみ可能な組立式箱の完成状態を示すものである。
その際、完成した組立式箱に、別途作製した蓋６１を被せて使用することができる。
なお、前記図２６においてそれぞれ５１は外側板４５，４６に設けた取手孔、５２は内側板４７に設けた取手孔、５３は中板４９に設けた取手孔である。図２９に示す組立状態においては互いに同じ位置にくるよう配置されている。いずれの取手孔５１，５２，５３も打抜加工によって簡単にくり抜けるようになっている。
【００３０】
次に、前記組立式箱の折りたたみ工程について説明する。
図２０および図２１に示すように、前記底板４１には一対の側板４２，４３に平行の折り目４１ｃが、また前記中板４９にはその折り目４３ａ、４３ｂに平行にさらに折り目４３ｃが形成されている。
そして、前記中板４９内の折り目４３ｃは、その外側に切込みからなる易折りたたみ手段を形成して折りたたみ易くしてあり、また前記側板４２の折り目４２ｂ、４２ｃは、さらに切込みからなる易折りたたみ手段を形成して外向きに折りたたみ易くしてある。
【００３１】
折りたたみに際しては、図３１に示すように先ず内補強板４４，５０を折り目４２ａ，５０ａで折込む。
そして図３２に示すように、前記中板４９を折り目４３ｃで立ち上げた上、図３３のように折りたたみ、その上で図３４に示すように、前記底板４１の他方の側の側板４３を前記底板４１の折り目４１ｃで内向きに折りたたむ。図３５は図３４の折りたたんだ状態のものを反転した状態を示すものである。
次いで、図３６に示すように前記外側板４５を折り目４２ｂで外向きに折りたたんだ上、図３７に示すように内側板４７を折り目４５ａで折りたたむ。
また、図３８に示すように前記他方の外側板４６を折り目４２ｃで外向きに折りたたんだ上、図３９に示すように内側板４７を折り目４６ａで折りたたむと、前記組立式箱の折りたたみ工程は終了する。
図４０は図３９の折りたたんだ状態のものを反転した状態を示すものである。
【００３２】
図４１は本発明の折りたたみ可能な組立式箱の第２の実施形態の変形した例を示すもので、前記側板４３の内側に折込む内補強板５０を省略した場合を示すものである。
【００３３】
以上の構成からなる本発明の折りたたみ可能な組立式箱は、運搬や保管などをする際に、展開状態から簡単に平板状に折りたたむことができ、かつ折りたたんだ状態が非常にコンパクトなので、搬送に便利なだけでなく、例えばこれを商品として店頭に並べる場合にも場所をとらないので大きなメリットを発揮する。
また、展開状態から平板状に折りたたむ場合の折り目も、ほとんど組立式箱の強度には影響のない部位に形成してあるので、組立状態で運搬や保管などをする際にも強度上の問題はなんら生じない。
【産業上の利用可能性】
【００３４】
本発明によれば、衣服や靴類、その他の種々の製品を梱包するのに非常に便利な折りたたみ可能な組立式箱を提供することができる。
もちろん、衣服や靴類等の製品のみならず、大小さまざまな製品を収納するために利用できることはいうまでもない。
その使用目的も、単なる搬送や保管のみならず、押入れ物置への収納保管や積み重ね、あるいはその他の種々の目的に使用することができる。
【００３５】
また、本発明に係る折りたたみ可能な組立式箱は、厚板紙、段ボール又は合成樹脂板材からなる板状材をもって形成することができ、前記種々の用途に応じた素材で形成することができる。
【符号の説明】
【００３６】
１１  底板
１１ａ，１１ｂ、１１ｃ  折り目
１２  側板
１２ａ，１２ｂ，１２ｃ  折り目
１３  側板
１３ａ，１３ｂ，１３ｃ  折り目
１４  天板
１４ａ，１４ｂ，１４ｃ  折り目
１５  外側板
１５ａ，１５ｂ  折り目
１６  外側板
１６ａ，１６ｂ  折り目
１７  内側板
１７ａ  係合突起
１８  副底板
１８ａ  長孔
１９  中板
２１，２２  側片
２３  側片
２３ａ  折り目
２４  折込み片
２５  係合孔
２６  係合突起
３１，３２，３３  取手孔
４１  底板
４１ａ，４１ｂ、４１ｃ  折り目
４２  側板
４２ａ，４２ｂ，４２ｃ  折り目
４３  側板
４３ａ，４３ｂ，４３ｃ  折り目
４４  内補強板
４５  外側板
４５ａ，４５ｂ  折り目
４６  外側板
４６ａ，４６ｂ  折り目
４７  内側板
４７ａ  係合突起
４８  副底板
４８ａ  長孔
４９  中板
５０  内補強板
５１，５２，５３  取手孔
６１  蓋
【図１】
0005588313.tif 000002
【図２】
0005588313.tif 000003
【図３】
0005588313.tif 000004
【図４】
0005588313.tif 000005
【図５】
0005588313.tif 000006
【図６】
0005588313.tif 000007
【図７】
0005588313.tif 000008
【図８】
0005588313.tif 000009
【図９】
0005588313.tif 000010
【図１０】
0005588313.tif 000011
【図１１】
0005588313.tif 000012
【図１２】
0005588313.tif 000013
【図１３】
0005588313.tif 000014
【図１４】
0005588313.tif 000015
【図１５】
0005588313.tif 000016
【図１６】
0005588313.tif 000017
【図１７】
0005588313.tif 000018
【図１８】
0005588313.tif 000019
【図１９】
0005588313.tif 000020
【図２０】
0005588313.tif 000021
【図２１】
0005588313.tif 000022
【図２２】
0005588313.tif 000023
【図２３】
0005588313.tif 000024
【図２４】
0005588313.tif 000025
【図２５】
0005588313.tif 000026
【図２６】
0005588313.tif 000027
【図２７】
0005588313.tif 000028
【図２８】
0005588313.tif 000029
【図２９】
0005588313.tif 000030
【図３０】
0005588313.tif 000031
【図３１】
0005588313.tif 000032
【図３２】
0005588313.tif 000033
【図３３】
0005588313.tif 000034
【図３４】
0005588313.tif 000035
【図３５】
0005588313.tif 000036
【図３６】
0005588313.tif 000037
【図３７】
0005588313.tif 000038
【図３８】
0005588313.tif 000039
【図３９】
0005588313.tif 000040
【図４０】
0005588313.tif 000041
【図４１】
0005588313.tif 000042